(57)【要約】      （修正有）【課題】好適な信号の入出力が可能な信号入出力装置を提供する。【解決手段】装置を搭載可能な搭載面（２１）と、複数の入力信号が供給される入力信号線と、複数の第１出力信号を出力する第１出力信号線とを有する本体部（２０）と、前記本体部の前記搭載面の反対側に備えられ前記本体部に対して相対移動可能な移動部（３０ａ、３０ｂ）とを有する第１装置と、前記入力信号を処理する第１回路を有する外部装置を着脱可能な着脱部（６８）を有し、前記本体部の前記搭載面に搭載される第２装置（６０）と、前記第１回路により処理された信号を用いて前記複数の第１出力信号と、前記複数の第１出力信号から絶縁された複数の第２出力信号を生成する第２回路と、前記複数の第２出力信号を出力する第２出力信号線と、前記支持部材の前記搭載面に接触可能な第１面（５３）と、前記移動部に接触可能な第２面（５１）とを有する第３装置（５０）とを含む信号入出力装置。【選択図】図５
2019192007.tif 000002
【特許請求の範囲】
【請求項１】
装置を搭載可能な搭載面と、複数の入力信号が供給される入力信号線と、複数の第１出力信号を出力する第１出力信号線とを有する本体部と、前記本体部の前記搭載面の反対側に備えられ前記本体部に対して相対移動可能な移動部とを有する第１装置と、
前記入力信号を処理する第１回路を有する外部装置を着脱可能な着脱部を有し、前記本体部の前記搭載面に搭載される第２装置と、
前記第１回路により処理された信号を用いて前記複数の第１出力信号と、前記複数の第１出力信号から絶縁された複数の第２出力信号を生成する第２回路と、前記複数の第２出力信号を出力する第２出力信号線と、前記支持部材の前記搭載面に接触可能な第１面と、前記移動部に接触可能な第２面とを有する第３装置とを含む信号入出力装置。
【請求項２】
請求項１に記載された信号入出力装置であって、
前記第３装置は、前記第１面及び前記第２面と交差し前記第１装置に接触可能な第３面を有する信号入出力装置。
【請求項３】
請求項１又は請求項２に記載された信号入出力装置であって、
前記第１装置は、前記入力信号線及び前記第１出力信号線が配置された回路基板を有する信号入出力装置。
【請求項４】
請求項１から請求項３の何れか１項に記載された信号入出力装置であって、
前記第１出力信号線と電気的に接続される出力端子を有し、前記第１装置に固定可能な端子台を有する信号入出力装置。
【請求項５】
請求項１から請求項４の何れか１項に記載された信号入出力装置であって、
前記第１装置の前記本体部は、移動部を移動可能にガイドするガイド部を有する信号入出力装置。
【請求項６】
請求項５に記載された信号入出力装置であって、
前記本体部は、前記ガイド部を収容する凹部を有する信号入出力装置。
【請求項７】
請求項１から請求項６の何れか１項に記載された信号入出力装置と、
前記第１回路を有する外部装置とを有する電子機器。
【発明の詳細な説明】
【技術分野】
【０００１】
本発明は、信号入出力装置、及び、信号入出力装置を用いた電子機器に関する。
【背景技術】
【０００２】
工場等で使用される信号変換器等の電子機器は、製造する製品等に応じて所定の入力信号が入力され、所定の回路で信号変換を行い、所定の出力信号を出力する。
【０００３】
特許文献１には、例えば、自動制御における制御用出力信号を得る手段としての直流信号電圧を入力とし、出力トランジスタの制御端子を駆動することにより、直流信号電圧をその電圧値に応じた直流信号変換出力（直流電流出力、直流電圧出力）に変換する直流信号電圧変換器が記載されている。
【先行技術文献】
【特許文献】
【０００４】
【特許文献１】特開２０００−２５２７５４号公報
【発明の概要】
【発明が解決しようとする課題】
【０００５】
解決しようとする課題は、好適な信号の入出力が可能な信号入出力装置、及び、信号入出力装置を用いた電子機器を提供することである。
【課題を解決するための手段】
【０００６】
本発明の第１の観点に係る信号入出力装置は、装置を搭載可能な搭載面と、複数の入力信号が供給される入力信号線と、複数の第１出力信号を出力する第１出力信号線とを有する本体部と、前記本体部の前記搭載面の反対側に備えられ前記本体部に対して相対移動可能な移動部とを有する第１装置と、前記入力信号を処理する第１回路を有する外部装置を着脱可能な着脱部を有し、前記本体部の前記搭載面に搭載される第２装置と、前記第１回路により処理された信号を用いて前記複数の第１出力信号と、前記複数の第１出力信号から絶縁された複数の第２出力信号を生成する第２回路と、前記複数の第２出力信号を出力する第２出力信号線と、前記支持部材の前記搭載面に接触可能な第１面と、前記移動部に接触可能な第２面とを有する第３装置とを含む。
【発明の効果】
【０００７】
本発明によれば、好適な信号の入出力が可能な信号入出力装置、及び、信号入出力装置を用いた電子機器を提供することができる。
【図面の簡単な説明】
【０００８】
【図１】図１は、第１実施形態に係る信号入出力装置、及び、電子機器を説明する図である。
【図２】図２は、図１に示した電子機器１の電気回路を説明する図である。
【図３】図３は、図１に示した電子機器２の電気回路を説明する図である。
【図４】図４は、図１に示した第１装置１０の機械的な構成を説明する図である。
【図５】図５は、図１に示した電子機器１の構成を説明する図である。
【図６】図６は、図１に示した電子機器１の構成を説明する別の図である。
【図７】図７は、図１に示した電子機器１の形状を説明するための斜視図である。
【図８】図８は、図１に示した電子機器１の形状を説明するための平面図である。
【図９】図９は、図１に示した電子機器１の形状を説明するための底面図である。
【図１０】図１０は、図１に示した電子機器１の形状を説明するための正面図である。
【図１１】図１１は、図１に示した電子機器１の形状を説明するための背面図である。
【図１２】図１２は、図１に示した電子機器１の形状を説明するための右側面図である。
【図１３】図１３は、図１に示した電子機器１の形状を説明するための左側面図である。
【図１４】図１４は、図１に示した電子機器２の構成を説明する図である。
【図１５】図１５は、図１に示した電子機器２の形状を説明するための斜視図である。
【図１６】図１６は、図１に示した電子機器２の形状を説明するための平面図である。
【図１７】図１７は、図１に示した電子機器２の形状を説明するための底面図である。
【図１８】図１８は、図１に示した電子機器２の形状を説明するための正面図である。
【図１９】図１９は、図１に示した電子機器２の形状を説明するための背面図である。
【図２０】図２０は、図１に示した電子機器２の形状を説明するための右側面図である。
【図２１】図２１は、図１に示した電子機器２の形状を説明するための左側面図である。
【図２２】図２２は、第２実施形態に係る信号入出力装置を説明する図である。
【図２３】図２３は、第２実施形態に係る信号入出力装置を説明する別の図である。
【発明を実施するための形態】
【０００９】
（第１実施形態）
【００１０】
図１は、第１実施形態の信号入出力装置及び、信号入出力装置を用いた電子機器を説明する図である。図１において、第１装置１０は、信号入出力装置１、２の構成要素（部品）である。第１装置１０に、後述する部品を搭載することにより信号入出力装置１、２が製造される。
【００１１】
第１装置１０は、本体部２０と、移動部３０とを有する。本体部２０は、後述する第２装置５０、第３装置６０等の部品を搭載、支持等することができるベースとなる部材であり、回路基板（図２、図３ご参照）を搭載、内蔵等することができる。移動部３０は、本体部２０に対して相対移動可能な部材である。
【００１２】
信号入出力装置１、２は、信号変換器等の電子機器に使用される装置であり、例えば、製品を製造する工場、発電所、上下水道施設、ビルシステム等で使用される。信号入出力装置１は、信号入出力装置１に適した回路基板（図２ご参照）を有する第１装置１０と、第２装置５０と、第３装置６０とを有する。信号入出力装置２は、信号入出力装置２に適した回路基板（図３ご参照）を有する第１装置１０と、第４装置８０とを有する。本実施器形態の電子機器は、信号入出力装置１又は信号入出力装置２に外部装置７０が装着されたものである。
【００１３】
本実施形態では、信号入出力装置１及び信号入出力装置２に共通の部品である第１装置１０を用いて、信号入出力装置１又は信号入出力装置２を製造できる。このため、信号入出力装置１、２を製造するために必要な部品の種類が低減するので、製品在庫を低減させることができる。
【００１４】
図２は、本実施形態の信号入出力装置１の電気回路を説明する図である。図２において、第１装置１０の本体部２０は、信号入出力装置１に適した回路基板９１と、着脱部２８と、端子台９９と、電源入力端子９２と、入力端子９３と、第１出力端子９４とを有する。
【００１５】
回路基板９１は電源ライン９２１と、入力信号線９３１と、第１出力信号線９４１とを有する。電源ライン９２１は電源入力端子９２に接続される。入力信号線９３１は、入力端子９３に接続される。第１出力信号線９４１は、端子台９９（図７ご参照）に備えられた第１出力端子９４に接続される。
【００１６】
第２装置５０は、回路５００と、着脱部５８と、第２出力信号線９５１と、第２出力端子９５とを有する。回路５００は、例えば、一つの入力信号（１組の入力信号）を用いて、互いに異なる２以上の出力信号（２組以上の出力信号）を生成するアダプタ回路である。例えば、回路５００は、１組のｎ（任意の自然数）個の入力信号１、２、３・・・ｎを用いて、一方の組の出力信号１、２、３・・・ｎと、一方の組の出力信号とは異なる他方の組の出力信号１、２、３・・・ｎとを生成する。
【００１７】
例えば、回路５００は、入力された複数の電圧信号（１組の電圧信号）を用いて互いに絶縁された２組の電圧信号を生成しても良いし、入力された１組の電流信号を用いて互いに絶縁された２組の電流信号を生成しても良いし、入力された１組の電圧信号を用いて信号レベルが異なる２組の電圧信号を生成しても良い。
【００１８】
着脱部５８は、上述した着脱部２８に機械的に係合可能な形状を有し、着脱部２８に電気的及び機械的に着脱させる部材である。例えば、着脱部５８は、コネクタのオス／メスの一方であり、着脱部２８は、コネクタのオス／メスの他方である。
【００１９】
第３装置６０は、着脱部６８（図５ご参照）と、第１装置１０に電気的及び機械的に着脱させるためのコネクタ等の部材（図示せず）とを有する。
【００２０】
外部装置７０は、回路７００と、着脱部７８（図５ご参照）とを有する。回路７００は、任意の回路である。回路７００は、例えば、入力された電圧信号を絶縁して出力する回路モジュール、入力された電流信号を絶縁して出力する回路モジュール、熱電対から入力される信号を絶縁し所定の電圧に変換して出力する回路モジュール、入力された信号のレベルを変化させて出力する回路モジュール等とすることができる。
【００２１】
着脱部７８は、上述した着脱部６８に電気的及び機械的に着脱させる部材である。例えば、着脱部７８は、コネクタのオス／メスの一方であり、着脱部６８は、コネクタのオス／メスの他方である。本実施形態において、外部装置７０は、ｎ（任意の自然数）個備えらえている。
【００２２】
図２に示した信号入出力装置１は、電源入力端子９２に商用電源等の電源電圧が入力される。入力端子９３には、例えば、センサ、ＤＣＳ（Ｄｉｓｔｒｉｂｕｔｅｄ  Ｃｏｎｔｒｏｌ  Ｓｙｓｔｅｍ）、ＰＬＣ（Ｐｒｏｇｒａｍｍａｂｌｅ  Ｌｏｇｉｃ  Ｃｏｎｔｒｏｌｌｅｒ）、ＳＣＡＤＡ（Ｓｕｐｅｒｖｉｓｏｒｙ  Ｃｏｎｔｒｏｌ  Ａｎｄ  Ｄａｔａ  Ａｃｑｕｉｓｉｔｉｏｎ  Ｓｙｓｔｅｍ）等の監視・制御機器などからｎ（任意の自然数）個の入力信号１、２、３・・・ｎが入力される。入力信号１は第１の外部装置７０に入力される。入力信号２は第２の外部装置７０に入力される。入力信号ｎは第ｎの外部装置７０に入力される。第１の外部装置７０、第２の外部装置７０・・・第ｎの外部装置７０のそれぞれに備えられた回路７００は入力された入力信号を処理して出力する。外部装置７０から出力された信号は、着脱部２８、着脱部５８を介して回路５００に供給される。回路５００は供給された複数の信号（１組の信号）に所定の処理を施し、２組の出力信号を生成する。一方の組の信号は第２装置５０の出力端子９５から出力される。他方の組の信号は、着脱部５８、２８を介して本体部２０の出力端子９４から出力される。
【００２３】
図３は、図１に示した信号入出力装置２の電気回路を説明する図である。以下の説明において、図２に示した構成と同様の構成には同一の参照符号を付し、重複した説明を省略する。
【００２４】
図３において、第１装置１０の本体部２０は、信号入出力装置２に適した回路基板９６と、電源入力端子９２と、入力端子９３と、出力端子９７とを有する。
【００２５】
回路基板９６は、電源入力端子９２に接続される電源ライン（図示せず）と、入力端子９３に接続される入力信号線（図示せず）と、出力端子９７に接続される出力信号線（図示せず）とを有する。
【００２６】
第４装置８０は、着脱部８８（図１４ご参照）と、第１装置１０に電気的及び機械的に着脱させるためのコネクタ等の部材（図示せず）とを有する。外部装置７０は、回路７００と、着脱部７８（図５ご参照）とを有する。回路７００は、任意の回路である。
【００２７】
図３に示した信号入出力装置２は、電源入力端子９２に商用電源等の電源電圧が入力される。入力端子９３には、例えば、センサ、ＤＣＳ、ＰＬＣ、ＳＣＡＤＡ等の監視・制御機器などから入力信号１、２、３・・・ｎが入力される。入力信号１、２、３・・・ｎは外部装置７０に入力される。第１の外部装置７０に備えられた回路７００は入力された入力信号を処理して出力する。外部装置７０から出力された信号は、本体部２０の出力端子９７から出力される。
【００２８】
図４は、図１に示した第１装置１０の機械的な構成を説明する図である。以下の説明において、図１〜図３に示した構成と同様の構成には同一の参照符号を付し、重複した説明を省略する。
【００２９】
図４において、本体部２０は第３装置６０を搭載可能な上面側２１と、移動部３０が備えらえる下面側２２と、上面側２１及び下面側２２と交差する面である側面２３と、側面２３の反対側の面である側面２４と、上面側２１に備えられた着脱部２８とを有する。
【００３０】
図４に示した実施形態において、移動部３０は、移動部３０ａと、移動部３０ｂとを有する。移動部３０ａは側面２３の近傍に備えられ、移動部３０ｂは側面２４の近傍に備えられている。移動部３０ａ、移動部３０ｂは、本体部２０に対向する上面３１と、上面３１の反対側の面である下面３２と、本体部２０の端から露出しない側面３３と、本体部２０の端から露出可能な側面３４と、上面３１から下面３２に貫通する貫通部３５とを有する。
【００３１】
図４に示した実施形態において、移動部３０ａは、側面３３の位置が位置ｐ１、ｐ２、ｐ３であるとき、ガイド部材２５ａ（図９ご参照）と係合し、位置決めされる（安定的に固定され、大きな力を加えなければ移動しない）。移動部３０ａは、側面３３の位置が位置ｐ１とｐ２との間にあるとき、僅かな力を加えることにより、側面３３の位置が位置ｐ１又は位置ｐ２に移動し、側面３３の位置が位置ｐ２とｐ３との間にあるとき、僅かな力を加えることにより、側面３３の位置が位置ｐ２又は位置ｐ３に移動する。
【００３２】
同様に、移動部３０ｂは、側面３３の位置が位置ｐ４、ｐ５、ｐ６であるとき、ガイド部材２５ｂ（図９ご参照）と係合し位置決めされる。移動部３０ａ、移動部３０ｂは、所定の位置に位置決めされた状態で、貫通部３５を用いて壁や、作業机等にねじ止めされる。
【００３３】
図５、図６は、本実施形態の信号入出力装置１の構成を説明する図である。以下の説明において、図１〜図４に示した構成と同様の構成には同一の参照符号を付し、重複した説明を省略する。
【００３４】
図５において、第３装置６０は、上面６１と、下面６２と、側面６３と、側面６４と、着脱部６８とを有する。下面６２は第１装置１０の上面側２１に搭載される。着脱部６８は上面６１に備えられる。
【００３５】
第２装置５０は、第１面５１と、第２面５２と、第３面５３と、第４面５４と、着脱部５８とを有する。第１面５１は移動部３０ａの上面３１に接触可能に上面３１に対向して備えられている。第２面５２は第１面５１に交差する方向に備えられた面であり本体部２０の側面２３に接触可能に側面２３に対向して備えられている。第３面５３は第１装置１０の上面側２１に接触可能に上面側２１に対向して備えられている。第４面５４は第３面５３に交差する方向に備えられた面であり第３装置６０の側面６３に接触可能に側面６３に対向して備えられている。着脱部５８は、第３面５３に備えらえている。
【００３６】
本実施形態において、第２面５２、第４面５４のそれぞれは、本体部２０の側面２３、第３装置６０の側面６３のそれぞれに接触可能に備えられている。このため、図６に示したように第２装置５０の上部（第１装置１０から離れた部分）に外力ａが加わった場合、第２面５２と第１装置１０の側面２３とが接触し、第４面５４と第３装置６０の側面６３とが接触するので、外力ａにより着脱部２８及び着脱部５８に過大な外力が加わることがなく、着脱部２８、着脱部５８の破損や電気的接続不良を生じることがない。
【００３７】
また、本実施形態において、第１面５１は移動部３０ａの上面３１に接触可能に備えられている。このため、図６に示したように第２装置５０の上部に外力ｂが加わった場合、第１面５１と移動部３０ａの上面３１とが接触するので、外力ｂにより着脱部２８及び着脱部５８に過大な外力が加わることがなく、着脱部２８、着脱部５８の破損や電気的接続不良を生じることがない。
【００３８】
また、本実施例では、移動部３０ａの上面３１を利用して、第１面５１の当てつけ面を形成しているので、第１装置１０の表面（例えば、上面側２１）に第１面５１の当てつけ面を設ける等の加工が不要になり製品の低コスト化が図られる。
【００３９】
更に、本実施例では、移動可能な移動部３０ａの上面３１を第１面５１の当てつけ面に利用しているので、移動部３０ａの移動方向の厚みが異なる複数種類の第２装置５０を取り付ける場合、第２装置５０の厚みに応じて移動部３０ａの位置を調整できる。このため、厚みが異なる複数種類の第２装置５０を取り付ける場合でも、外力ｂによる影響を確実に抑えることができる。具体的には、例えば、移動部３０ａの移動方向の厚みが異なる第１タイプの第２装置５０と、第２タイプの第２装置５０とがあった場合、第１タイプの第２装置５０が装着されているときは移動部３０ａの側面３３の位置を位置ｐ１（図６ご参照）に設定し、第２タイプの第２装置５０が装着されているときは移動部３０ａの側面３３の位置を位置ｐ２（図６ご参照）に設定することができる。
【００４０】
図７〜図１３は、本実施形態の信号入出力装置１の詳細な構成を説明する図である。図７は本実施形態の信号入出力装置１の斜視図であり、図８は本実施形態の信号入出力装置１の平面図であり、図９は本実施形態の信号入出力装置１の底面図であり、図１０は本実施形態の信号入出力装置１の正面図であり、図１１は本実施形態の信号入出力装置１の背面図であり、図１２は本実施形態の信号入出力装置１の右側面図であり、図１３は本実施形態の信号入出力装置１の左側面図である。以下の説明において、図１〜図６に示した構成と同様の構成には同一の参照符号を付し、重複した説明を省略する。
【００４１】
図７に示した信号入出力装置１は、図５に示した構成に加えて端子台９９と、電源入力端子９２と、入力端子９３と、第１出力端子９４と、第２出力端子９５とを有する。端子台９９は、固定部材９９１（図９ご参照）により本体部２０に機械的に固定可能な部材である。第１出力端子９４は端子台９９に固定されている。電源入力端子９２及び入力端子９３は、本体部２０に固定されている。第２出力端子９５は、第２装置５０に固定されている。
【００４２】
図９において、本体部２０の下面側２２には凹部２６が形成されている。凹部２６には、ガイド部材２５ａ〜２５ｄが備えらえている。移動部３０ａ〜３０ｄは、ガイド部材２５ａ〜２５ｄにガイドされて移動する。例えば、移動部３０ａは、側面３３の位置が位置ｐ１、ｐ２、ｐ３（図６ご参照）であるとき、移動部３０ａの突起３０１ａがガイド部材２５ａの凹溝２５１ａに係合し位置決めされる。
【００４３】
図１４は、図１に示した信号入出力装置２の構成を説明する図である。以下の説明において、図１〜図１３に示した構成と同様の構成には同一の参照符号を付し、重複した説明を省略する。
【００４４】
図１４において、信号入出力装置２は、図５に示した第３装置６０に代えて第４装置８０を有する。第４装置８０は、上面８１と、下面８２と、側面８３と、側面８４と、着脱部８８とを有する。下面８２は第１装置１０の上面２１に搭載される。着脱部８８は上面８１に備えられる。着脱部８８は、例えば、コネクタである。
【００４５】
図１４に示した実施形態では、第２装置５０が使用されないので、移動部３０ａの位置が図５に示した実施形態と異なる。具体的には、図５に示した実施形態では、移動部３０ａの移動方向における第２装置５０の厚みに適合させるため、移動部３０ａの側面３３の位置が位置ｐ１に設定されている。これに対して、図１４に示した実施形態では、第２装置５０が使用されないので、移動部３０ａの側面３３の位置が位置ｐ２に設定されている。
【００４６】
図５に示した実施形態では、移動部３０ａを本体部２０から十分に露出させることにより、移動可能な移動部３０ａの上面３１を第２装置５０の第１面５１の当てつけ面に利用している。これに対し、図１４に示した実施形態では、第２装置５０の第１面５１の当てつけが不要であるため、本体部２０からの露出が少なくなるように移動部３０ａの位置を設定し、装置の小型化を実現している。
【００４７】
図１５〜図２１は、図１に示した信号入出力装置２の詳細な構成を説明する図である。図１５は図１に示した信号入出力装置２の斜視図であり、図１６は図１に示した信号入出力装置２の平面図であり、図１７は図１に示した信号入出力装置２の底面図であり、図１８は図１に示した信号入出力装置２の正面図であり、図１９は図１に示した信号入出力装置２の背面図であり、図２０は図１に示した信号入出力装置２の右側面図であり、図１３は図１に示した信号入出力装置２の左側面図である。以下の説明において、図１〜図１４に示した構成と同様の構成には同一の参照符号を付し、重複した説明を省略する。
【００４８】
図１５に示した信号入出力装置２は、図７に示した端子台９９が設けられていない。また、図１５に示した信号入出力装置２は、図７に示した第１出力端子９４と、第２出力端子９５に代えて２組の出力端子９７を有する。
【００４９】
図１５において、一方の組の出力端子９７は、ｎ（任意の自然数）個の出力信号１、２、３・・・ｎを出力する端子であり、他方の組の出力端子９７は、一方の組の出力端子９７と同一の出力信号１、２、３・・・ｎを出力する。すなわち、一方の組の出力端子９７の出力信号１、２、３・・・ｎを伝送する電気配線のそれぞれと、他方の組の出力端子９７の出力信号１、２、３・・・ｎを伝送する電気配線のそれぞれとは導通している（絶縁されていない）。
【００５０】
（第２実施形態）
【００５１】
図２２は、第２実施形態の信号入出力装置を説明する図、図２３は、第２実施形態の信号入出力装置を説明する別の図である。以下の説明において、図１〜図２１に示した構成と同様の構成には同一の参照符号を付し、重複した説明を省略する。
【００５２】
図２２において、信号入出力装置１ａの移動部３０ａは、側面３３の位置が位置ｐ７、ｐ８、ｐ９、ｐ１０であるとき、ガイド部材２５ａ（図９ご参照）と係合し、位置決めされる（安定的に固定され、大きな力を加えなければ移動しない）。
【００５３】
移動部３０ａの側面３３が位置ｐ１０であるとき、移動部３０ａは本体部２０の端から露出しない。このため、図３に示した信号入出力装置２の部品として本体部２０を使用する場合に装置の小型化を図ることができる。移動部３０ａの側面３３が位置ｐ９であるとき、移動部３０ａの貫通部３５が本体部２０の端から露出する。このため、図３に示した信号入出力装置２の部品として本体部２０を使用する場合に、貫通部３５を用いて装置を壁や、作業机等にねじ止めすることができる。
【００５４】
移動部３０ａの側面３３が位置ｐ８であるとき、移動部３０ａは第２装置５０の端から露出しない。このため、図２に示した信号入出力装置１の部品として本体部２０を使用する場合に装置の小型化を図ることができる。移動部３０ａの側面３３が位置ｐ７であるとき、移動部３０ａの貫通部３５が第２装置５０の端から露出する。このため、図２に示した信号入出力装置１の部品として本体部２０を使用する場合に、貫通部３５を用いて装置を壁や、作業机等にねじ止めすることができる。
【００５５】
図２３において、第２装置５０はガイド部材５５ａ（図１３ご参照）を有する。このため、移動部３０ａの側面３３が位置Ｐ７又はｐ８であるとき、移動部３０ａは第２装置５０のガイド部材５５ａにガイドされる。移動部３０ａをガイド部材５５ａに係合させることにより、第２装置５０を本体部２０に固定することができる。
【００５６】
（変形例）
【００５７】
上述した実施形態において、回路基板９１、９６は、本体部２０に搭載又は内蔵されていてもよいし、第１装置１０と第３装置６０との間、又は、第１装置１０と第４装置８０との間に設けられていてもよい。また、回路基板９１、９６は、一部が本体部２０に搭載又は内蔵され、他の部分が第３装置６０、第４装置８０に搭載又は内蔵されていてもよい。また、信号入出力装置１、２は、回路基板９１、９６以外の回路基板や回路要素を含んでいてもよい。
【００５８】
図４に示した実施形態では、位置ｐ１〜ｐ１０を用いて移動部３０の移動位置を説明したが、移動部３０の移動位置を任意に設定できることは言うまでもない。また、上述した実施形態では、１つの移動部３０ａを有する形態について詳細に説明したが、移動部３０ａの数、形状、配置が任意であることは言うまでもない。
【００５９】
上記では、種々の実施の形態及び変形例を説明したが、本発明はこれらの内容に限定されるものではない。本発明の技術的思想の範囲内で考えられるその他の態様も本発明の範囲内に含まれる。
【産業上の利用可能性】
【００６０】
本発明によれば、好適な信号の入出力が可能な信号入出力装置、及び、信号入出力装置を用いた電子機器を提供することができる。
【符号の説明】
【００６１】
１０    第１装置
２０    本体部
３０    移動部
５０    第２装置
６０    第３装置
７０    外部装置
１    信号入出力装置
【図１】
2019192007.tif 000003
【図２】
2019192007.tif 000004
【図３】
2019192007.tif 000005
【図４】
2019192007.tif 000006
【図５】
2019192007.tif 000007
【図６】
2019192007.tif 000008
【図７】
2019192007.tif 000009
【図８】
2019192007.tif 000010
【図９】
2019192007.tif 000011
【図１０】
2019192007.tif 000012
【図１１】
2019192007.tif 000013
【図１２】
2019192007.tif 000014
【図１３】
2019192007.tif 000015
【図１４】
2019192007.tif 000016
【図１５】
2019192007.tif 000017
【図１６】
2019192007.tif 000018
【図１７】
2019192007.tif 000019
【図１８】
2019192007.tif 000020
【図１９】
2019192007.tif 000021
【図２０】
2019192007.tif 000022
【図２１】
2019192007.tif 000023
【図２２】
2019192007.tif 000024
【図２３】
2019192007.tif 000025